(57)【特許請求の範囲】
【請求項１】
デイジタルオーデイオ信号を、前後の相関を利用するブロツク符号化圧縮方式で符号化し、複数の符号化ブロツクを１記録単位として順次記録したデイジタルオーデイオデータを再生する圧縮データ再生方法において、
上記デイジタルオーデイオデータを±１倍以下の速度で再生する際に、上記記録単位を繰り返し再生した場合に発生する復元不可能な部分のデータに応じて、上記デイジタルオーデイオデータを、上記復元不可能な部分のデータが上記記録単位内に入る量だけ遅延させ、当該遅延された上記デイジタルオーデイオデータのうち、上記復元不可能な部分のデータを含まない上記記録単位を選択する
ことを特徴とする圧縮データ再生方法。
【請求項２】
デイジタルオーデイオ信号を、前後の相関を利用するブロツク符号化圧縮方式で符号化し、複数の符号化ブロツクを１記録単位として順次記録したデイジタルオーデイオデータを再生する圧縮データ再生方法において、
上記デイジタルオーデイオデータを±１倍以下の速度で再生する際に、上記記録単位の先頭の所定量のデータをメモリに記憶し、上記記録単位が繰り返し再生されることを意味する信号を検出すると、記憶された上記記録単位の先頭の所定量のデータを読み出して、繰り返し再生される上記記録単位の先頭の所定量のデータと置換し、当該置換された上記記録単位のうち、記録単位の後尾に復元不可能な部分のデータを含まない上記記録単位を選択する
ことを特徴とする圧縮データ再生方法。
【請求項３】
上記符号化ブロツクのサンプル数を、上記デイジタルオーデイオデータを±１倍以下の速度で再生する際の上記記録単位のサンプル数の１／２以下とするブロツク符号化圧縮方式で、上記デイジタルオーデイオデータを符号化する
ことを特徴とする請求項１又は請求項２に記載の圧縮データ再生方法。
【請求項４】
デイジタルオーデイオ信号を、前後の相関を利用するブロツク符号化圧縮方式で符号化し、複数の符号化ブロツクを１記録単位として順次記録したデイジタルオーデイオデータを再生する圧縮データ再生装置において、
上記デイジタルオーデイオデータを±１倍以下の速度で再生する際に、上記記録単位を繰り返し再生した場合に発生する復元不可能な部分のデータに応じて、上記デイジタルオーデイオデータを、上記復元不可能な部分のデータが上記記録単位内に入る量だけ遅延させ、当該遅延された上記デイジタルオーデイオデータのうち、上記復元不可能な部分のデータを含まない上記記録単位を選択する遅延手段
を具えることを特徴とする圧縮データ再生装置。
【請求項５】
デイジタルオーデイオ信号を、前後の相関を利用するブロツク符号化圧縮方式で符号化し、複数の符号化ブロツクを１記録単位として順次記録したデイジタルオーデイオデータを再生する圧縮データ再生装置において、
上記デイジタルオーデイオデータを±１倍以下の速度で再生する際に、上記記録単位の先頭の所定量のデータを記憶するメモリ手段と、
上記記録単位が繰り返し再生されることを意味する信号を検出すると、記憶された上記記録単位の先頭の所定量のデータを読み出して、繰り返し再生される上記記録単位の先頭の所定量のデータと置換し、当該置換された上記記録単位のうち、記録単位の後尾に復元不可能な部分のデータを含まない上記記録単位を選択する選択手段と
を具えることを特徴とする圧縮データ再生装置。
【請求項６】
上記符号化ブロツクのサンプル数を、上記デイジタルオーデイオデータを±１倍以下の速度で再生する際の上記記録単位のサンプル数の１／２以下とするブロツク符号化圧縮方式で、上記デイジタルオーデイオデータを符号化する
ことを特徴とする請求項４又は請求項５に記載の圧縮データ再生装置。
【発明の詳細な説明】
【０００１】
【目次】
以下の順序で本発明を説明する。
産業上の利用分野
従来の技術（図９及び図１０）
発明が解決しようとする課題（図１１〜図１３）
課題を解決するための手段（図１〜図４）
作用（図１〜図４）
実施例（図１〜図８）
（１）第１実施例（図１及び図２）
（２）第２実施例（図３及び図４）
（３）他の実施例（図５〜図８）
発明の効果
【０００２】
【産業上の利用分野】
本発明は圧縮データ再生方法及び圧縮データ再生装置に関し、特にデイジタルオーデイオ信号を前後の相関を利用するブロツク符号化圧縮方式で符号化し、複数の符号化ブロツクを１記録単位として順次記録したデイジタルオーデイオデータを±１倍以下の速度で再生するいわゆるＪＯＧオーデイオ再生するものに適用し得る。
【０００３】
【従来の技術】
従来、デイジタルオーデイオ信号がベースバンド記録されたビデオテープレコーダ（ＶＴＲ）等では、アナログ長手デイジタルオーデイオデータと同様に、再生速度を±１倍以下に変化させ、その速度に合わせて周波数特性を変化させる、いわゆるＪＯＧオーデイオ再生が行われる。例えば、図９に示すＶＴＲ１の場合には、以下の手順でデイジタルオーデイオデータのＪＯＧオーデイオ再生が行われる。
【０００４】
すなわちテープ２上よりドラム３中のヘツドによつて読み出されたデータは、ＥＣＣ（符号訂正処理）４でメモリ５を用いて誤り訂正された後、クロツクコンバート処理５でクロツクの載せ換えが行われる。その後テープ搬送系のドラム３又はシステムマイコンからテープ２の速度情報やジヤンプ信号を得、再生したデータに対してラグランジエ（Lagrange）補間等、メモリ８を用いてＪＯＧ処理７を行い、データ出力９として音声出力する。
【０００５】
このＪＯＧオーデイオ再生を、図１０に示すように、１トラツクに１フイールド又は１フレームのデータが記録されている場合で説明する（図１０（Ａ））。ＪＯＧオーデイオ再生はノーマル再生（図１０（Ｂ））に比較して、テープ２の速度が遅くなるため、ヘツドがデータの記録されているトラツクを数回トレースし、この結果同じトラツクのデータが繰り返されて再生される。データの繰り返しはシステムからのジヤンプ信号で得る（図１０（Ｃ））。
【０００６】
この繰り返されたデータの内、時間的に連続したデータのみをＪＯＧ処理７のメモリ８上で再構成する。なお再度読み出された同一フイールドのデータを捨てる場合もある。そして時間軸上で引き延ばされた状態で音声出力することで、ＪＯＧ再生処理が完了する（図１０（Ｄ））。この例では１／２倍速で、アナログ出力は周波数が低くなつたことを表している。
【０００７】
【発明が解決しようとする課題】
ところでＶＴＲにおけるデイジタルオーデイオデータの記録方法として、上述したベースバンド記録方法に代えて、デイジタルオーデイオ信号を周波数分割して圧縮符号化し、複数の符号化ブロツクをフレーム単位で記録するいわゆるサブバンド符号化方法がある。
【０００８】
このように圧縮符号化されたデイジタルオーデイオデータをＪＯＧオーデイオ再生する場合、図９との対応部分に同一符号を付した図１１に示すように、圧縮符号化されたデータを復号化した後のベースバンドデイジタルオーデイオデータに対して処理される。このため、サブバンド復号化処理（ＳＢＣデコーダ）１１は、ベースバンド記録によるＶＴＲ１に対してＥＣＣ処理４とＪＯＧ処理７の間に配置される。
【０００９】
ここで問題になるのがＪＯＧオーデイオ再生時に、データが連続しない場合のサブバンド符号化データの復号化である。すなわち図１２に示すように、サブバンド符号化は、フレーム又はフイールド内に数個ある圧縮の基本単位サンプルを１ブロツクとし、それを基準に圧縮符号化が行われている。ここでは、 320サンプルを１ブロツクとし、サブバンド符号化のフイルタタツプ数を 512、、ＪＯＧオーデイオ再生は１フレーム1920サンプルの繰り返しによつて処理される例を示す。
【００１０】
１つのブロツクを完全にベースバンドデイジタルデータに復号化するためには１ブロツクとそれを境に、前後フイルタのタツプ数分のサンプルが必要である。実際上、サブバンド符号化の構成から、ブロツクのスタートポイントを境に前後 256サンプル（計 512）のデータを計算することで、 32Oサンプルの復号化を行う。このとき、その 512サンプルが連続であれば復号化可能であるが、不連続点が存在する場合には（図１２（Ａ））、その部分を含む 512サンプルの計算は正しい結果を得ることはできない。
【００１１】
つまりサブバンド符号化されたデイジタルオーデイオデータのＪＯＧオーデイオ再生では、繰り返されるフレーム又はフイールドの不連続点において、正しいデータの復号化ができない。従つて図１３に示すように、サブバンド符号化されたデイジタルオーデイオデータを、このままＪＯＧオーデイオ再生しようとすると、音声出力中にノイズが発生する問題があり、上述したＪＯＧオーデイオ再生の処理手順は、このままではサブバンド符号化されたデイジタルオーデイオデータに適用できない問題があつた。
【００１２】
本発明は以上の点を考慮してなされたもので、圧縮符号化されたデイジタルオーデイオデータを±１倍以下の速度で再生し得る圧縮データ再生方法及び圧縮データ再生装置を提案しようとするものである。
【００１３】
【課題を解決するための手段】
かかる課題を解決するため本発明においては、デイジタルオーデイオ信号を、前後の相関を利用するブロツク符号化圧縮方式で符号化し、複数の符号化ブロツクを１記録単位として順次記録したデイジタルオーデイオデータを再生する圧縮データ再生方法において、デイジタルオーデイオデータを±１倍以下の速度で再生する際に、記録単位を繰り返し再生した場合に発生する復元不可能な部分のデータに応じて、デイジタルオーデイオデータを、復元不可能な部分のデータが記録単位内に入る量だけ遅延させ、当該遅延されたデイジタルオーデイオデータのうち、復元不可能な部分のデータを含まない記録単位を選択するようにした。
【００１４】
また本発明においては、デイジタルオーデイオ信号を、前後の相関を利用するブロツク符号化圧縮方式で符号化し、複数の符号化ブロツクを１記録単位として順次記録したデイジタルオーデイオデータを再生する圧縮データ再生方法において、デイジタルオーデイオデータを±１倍以下の速度で再生する際に、記録単位の先頭の所定量のデータをメモリ（３１）に記憶し、記録単位が繰り返し再生されることを意味する信号を検出すると、記憶された記録単位の先頭の所定量のデータを読み出して、繰り返し再生される記録単位の先頭の所定量のデータと置換し、当該置換された記録単位のうち、記録単位の後尾に復元不可能な部分のデータを含まない記録単位を選択するようにした。
【００１５】
また本発明においては、デイジタルオーデイオ信号を、前後の相関を利用するブロツク符号化圧縮方式で符号化し、複数の符号化ブロツクを１記録単位として順次記録したデイジタルオーデイオデータを再生する圧縮データ再生装置において、デイジタルオーデイオデータを±１倍以下の速度で再生する際に、記録単位を繰り返し再生した場合に発生する復元不可能な部分のデータに応じて、デイジタルオーデイオデータを、復元不可能な部分のデータが記録単位内に入る量だけ遅延させ、当該遅延されたデイジタルオーデイオデータのうち、復元不可能な部分のデータを含まない記録単位を選択する遅延手段（２１）を設けるようにした。
【００１６】
また本発明においては、デイジタルオーデイオ信号を、前後の相関を利用するブロツク符号化圧縮方式で符号化し、複数の符号化ブロツクを１記録単位として順次記録したデイジタルオーデイオデータを再生する圧縮データ再生装置において、デイジタルオーデイオデータを±１倍以下の速度で再生する際に、記録単位の先頭の所定量のデータを記憶するメモリ手段（３１）と、記録単位が繰り返し再生されることを意味する信号を検出すると、記憶された記録単位の先頭の所定量のデータを読み出して、繰り返し再生される記録単位の先頭の所定量のデータと置換し、当該置換された記録単位のうち、記録単位の後尾に復元不可能な部分のデータを含まない記録単位を選択する選択手段（３２）とを設けるようにした。
【００１７】
【作用】
デイジタルオーデイオデータを±１倍以下の速度で再生する際に、記録単位を繰り返し再生した場合に発生する復元不可能な部分のデータに応じて、デイジタルオーデイオデータを、復元不可能な部分のデータが記録単位内に入る量だけ遅延させ、当該遅延された上記デイジタルオーデイオデータのうち、復元不可能な部分のデータを含まない記録単位を選択するようにしたり、記録単位の先頭の所定量のデータをメモリ（３１）に記憶し、記録単位が繰り返し再生されることを意味する信号を検出すると、記憶された記録単位の先頭の所定量のデータを読み出して、繰り返し再生される記録単位の先頭の所定量のデータと置換し、当該置換された記録単位のうち、記録単位の後尾に復元不可能な部分のデータを含まない記録単位を選択するようにしたことにより、圧縮符号化されたデイジタルオーデイオデータを±１倍以下の速度で再生し得る。
【００１８】
【実施例】
以下図面について、本発明の一実施例を詳述する。
【００１９】
（１）第１実施例
図１１との対応部分に同一符号を付して示す図１において、２０は全体として本発明によるサブバンド符号化されたデイジタルオーデイオデータについてのＪＯＧオーデイオ再生方法を適用したＶＴＲの第１実施例を示し、サブバンド復号化されたデイジタルオーデイオデータに対して、後段のＪＯＧ処理７に転送するデータにある固定のデイレイ量を与え、データの不定区間をＪＯＧ処理７で使用しない区間へシフトし、最終的な音声出力上にノイズが残らないようにする。
【００２０】
すなわちこのＶＴＲ２０では、サブバンド復号化処理１１とＪＯＧ処理７の間に、データデイレイ処理２１を配置する。このサブバンド復号化処理１１でデコードされたサブバンド符号化データは、データデイレイ処理２１において固定デイレイを与えられる。このデイレイ量はサブバンド符号化の基本ブロツクのサンプル数と計算のためのフイルタタツプ数に依存する。ここでは簡単のため基本ブロツクを 320サンプルとし、フイルタタツプ数を 512とし、ＪＯＧオーデイオ再生がフレーム単位でリピートされる場合を示す。
【００２１】
従来について上述したように、サブバンド符号化されたデイジタルオーデイオデータがフレーム単位で繰り返し再生された場合、その繰り返されたデータの不連続点において、図２にハツチングした領域で示すように、データの復元不可能な部分が発生する。このままでは、ＪＯＧオーデイオ再生できないので上述したデータデイレイ処理２１で、復元不可能な部分がフレーム内に入る量だけシフトする。
【００２２】
図２では上述した条件のサブバンド符号化方法で、データデイレイ処理２１として 224サンプルの固定デイレイを与えることにより、ＪＯＧ処理７で不定区間を全て含む部分をリピートフレームとして処理でき、この結果そのフレームのデータを使用しないので、一連のデータ列に不定区間のデータが残らないようにできる。従つてＪＯＧ処理７を行つた再生後の音声出力にノイズは発生しない。ＪＯＧ処理７でのデータ処理は、ジヤンプ信号を元にフレーム単位のデータの選択を行う。従つてこの場合繰り返されるフレーム内の不定区間をシフトすることでＪＯＧ処理７のメモリ８上でのデータは、ノイズのないデータ列を復元できる。
【００２３】
以上の構成によれば、繰り返し再生される記録単位のデイジタルオーデイオデータのうち、復元不可能な部分に応じた所定データ量分、復元可能な連続した１つ前の記録単位のデイジタルオーデイオデータを遅延させて、復元不可能な部分に対応させるようにしたことにより、サブバンド符号化方法で圧縮符号化されたデイジタルオーデイオデータをＪＯＧオーデイオ再生してノイズの無い音声出力を得ることができる。
【００２４】
（２）第２実施例
図１との対応部分に同一符号を付して示す図３において、３０は全体として本発明によるサブバンド符号化されたデイジタルオーデイオデータについてのＪＯＧオーデイオ再生方法を適用したＶＴＲの第２実施例を示し、サブバンド復号化されたデイジタルオーデイオデータに対して、不連続点を先頭とするフレーム又はフイールドの不定データ部分を直前のフレームデータから置換する。なおＪＯＧ処理７では繰り返されたデータを捨てるのではなく、メモリ８上にオーバーライトする。
【００２５】
すなわちこのＶＴＲ３０では、サブバンド復号化処理１１とＪＯＧ処理７の間に、メモリ３１とデータセレクタ３２を配置する。サブバンド復号化処理１１でデコードされたサブバンド符号化データは、システムコントロールから与えられるジヤンプ信号に応じてメモリ３１に一旦記憶し読み出される。このジヤンプ信号は、ＪＯＧオーデイオ再生の際に、リピートしたフレームを表すもので、実際上図４に示すような、シーケンスで処理される。
【００２６】
まず連続しているフレーム処理の先頭のデータ（ここでは 256サンプル）を毎フレーム、メモリ３１に書き込み更新する。このデータはフレームが連続している部分でデコードされたデータであるから、データとしては正しい。ここでジヤンプ信号（図４（Ｂ））がアクテイブになると、フレームが繰り返されていることを意味するため、データの書き込みをやめ逆に前フレームで書き込んでいたデータの読み出しを行い、データセレクタ３２を通じてそのフレームの先頭部分のデータと置換する。
【００２７】
本来、不連続点である部分のデコードできない区間のフレーム先頭部分のデータが前フレームから置き換えられ、繰り返されたフレームの一番最後のフレームはデータが全てデコードされたことになる。このデータをＪＯＧ処理７に出力する。ＪＯＧ処理７では上述した処理に代えて、メモリ８上でのデータの復元の段階で繰り返さているフレームの一番最後のデータを採用することで、最終的なデータに不定区間は残らなくなる。なおＪＯＧ処理７での具体的なデータ処理としては、メモリ８でデータをオーバーライトする。従つてＪＯＧ処理７を行つて再生された音声出力にノイズは発生しない。
【００２８】
図４の場合、フレームＦ１、Ｆ２の境界はデコード可能であり、メモリ３１に書き込まれる。その後ジヤンプ信号がアクテイブになり、そのデータをフレームの先頭の不定区間のデータに置換する。その置換されたフレームの先頭データはＪＯＧ処理７において、前のフレームＦ２のデータにオーバーライトされるので、ＪＯＧ処理７のメモリ８上にはノイズのないデータ列が復元できる。
【００２９】
以上の構成によれば、繰り返し再生される記録単位のデイジタルオーデイオデータのうち、復元不可能な部分に応じた所定データ量分、復元可能な連続した１つ前の記録単位のデイジタルオーデイオデータをメモリに記憶して、復元不可能な部分に置換させるようにしたことにより、サブバンド符号化方法で圧縮符号化されたデイジタルオーデイオデータをＪＯＧオーデイオ再生してノイズの無い音声出力を得ることができる。
【００３０】
（３）他の実施例
上述の実施例においては、サブバンド符号化ブロツクがフレーム又はフイールドにロツク、すなわちフレーム又はフイールドのサンプル数が、ブロツク内サンプル数の整数倍である場合について述べたが、本発明はロツクしてない場合でも適用し得る。例えばサブバンド符号化ブロツクを 384サンプル、フレームサンプル数を 525／60システムの1601／1602サンプルの場合で説明する。実際上、フレームサンプル数1601又は1602内にサブバンド符号化（ 384サンプル）ブロツクは、１フレーム当たり 4.2ブロツク存在することになる。従つて符号化されたデータは図５に示すように、２フレームに渡り記録される場合が発生する。
【００３１】
サブバンド符号化の復号化には、１ブロツクとその前後の 256サンプルが必要であるから、ＪＯＧオーデイオ再生でフレームが連続しない場合には、不定になる区間がロツクする場合に比較し大きくなる。その最悪の場合をフレームの前後の場合に分けて示す。この場合に上述した第１実施例の構成では、図６に示すように、デイレイ量として 256＋ 383＝ 639サンプルを与えることで、上述したＪＯＧオーデイオ再生が可能となる。また第２実施例の構成では、図７に示すように、フレームの先頭のデータとして、最悪の場合の 256＋ 383＝ 639サンプルをメモリ３１に記憶することで、上述したＪＯＧオーデイオ再生が可能となる。
【００３２】
なお上述の実施例においては、ＪＯＧオーデイオ再生可能なブロツクサンプル数で説明したが、サブバンド符号化ブロツクのサンプル数がある値を越えると不可能になる場合がある。実際上上述と同様にブロツクサンプル数を拡大していき、ブロツクでの処理ができるためには、連続フレームが再生された部分において、そのフレームの先頭が正しくデコードされなければならない。上述の第１、第２実施例のいずれにしても、フレーム内に必ずデータのデコードが行われて、復元されている部分がなければならない。
【００３３】
逆に不定区間のサンプル数が連続しても、フレームのサンプル数以下であれば、第１実施例のようにデータをデイレイするときには、フレームエンド側の最悪分のデイレイ量を与えることで、ＪＯＧオーデイオ再生は可能である。また第２実施例のデータを置換するときには、フレームスタート側の最悪分をメモリによつてデータ保持することで、ＪＯＧオーデイオ再生は可能となる。
【００３４】
従つて図８に示すようにフレーム又はフイールドのサンプル数の１／２のサンプル数以下のブロツクサンプル数であれば、どのようなブロツクでもＪＯＧオーデイオ再生できる。図では１フレーム1601／1602サンプルなので、限界のブロツクサンプル数は 800サンプルということになる。第１、第２実施例のいずれでも、フレーム又はフイールドのデータ全てがデコード不可能とならない限りＪＯＧオーデイオ再生できる。
【００３５】
このようにＪＯＧ処理をフレーム又はフイールドのリピートで行うとすると、サブバンド符号化の単位ブロツクはそれの１／２のサンプル数まで対応可能であり、具体的なブロツクサンプル数は、ＰＡＬ（ 625／50）方式のフイールド処理で 960サンプルの場合、 480サンプル以下であり、フレーム処理1920サンプルの場合、 960サンプル以下である。またＮＴＳＣ（ 525／60）方式のフイールド処理 800／ 801サンプルの場合、 400サンプル以下であり、フレーム処理1601／1602サンプルの場合、 800サンプル以下である。
【００３６】
【発明の効果】
上述のように本発明によれば、デイジタルオーデイオデータを±１倍以下の速度で再生する際に、記録単位を繰り返し再生した場合に発生する復元不可能な部分のデータに応じて、デイジタルオーデイオデータを、復元不可能な部分のデータが記録単位内に入る量だけ遅延させ、当該遅延された上記デイジタルオーデイオデータのうち、復元不可能な部分のデータを含まない記録単位を選択するようにしたり、記録単位の先頭の所定量のデータをメモリに記憶し、記録単位が繰り返し再生されることを意味する信号を検出すると、記憶された記録単位の先頭の所定量のデータを読み出して、繰り返し再生される記録単位の先頭の所定量のデータと置換し、当該置換された記録単位のうち、記録単位の後尾に復元不可能な部分のデータを含まない記録単位を選択するようにしたことにより、圧縮符号化されたデイジタルオーデイオデータを±１倍以下の速度で再生し得る圧縮データ再生方法及び圧縮データ再生装置を実現できる。
【図面の簡単な説明】
【図１】本発明による圧縮データ再生方法の第１実施例によるＶＴＲのＪＯＧオーデイオ再生処理手順を示すブロツク図である。
【図２】図１のＪＯＧオーデイオ再生処理動作を示すタイミングチヤートである。
【図３】本発明による圧縮データ再生方法の第２実施例によるＶＴＲのＪＯＧオーデイオ再生処理手順を示すブロツク図である。
【図４】図３のＪＯＧオーデイオ再生処理動作を示すタイミングチヤートである。
【図５】   384サンプルブロツクでの不連続フレームパターンの説明に供する略線図である。
【図６】図５の不連続フレームパターンについて図１のＪＯＧオーデイオ再生処理動作を示すタイミングチヤートである。
【図７】図５の不連続フレームパターンについて図３のＪＯＧオーデイオ再生処理動作を示すタイミングチヤートである。
【図８】ＮＴＳＣ（ 525／60）システムにおけるブロツク数の最大値を示す略線図である。
【図９】従来のベースバンド記録ＶＴＲによるＪＯＧオーデイオ再生処理手順を示すブロツク図である。
【図１０】図９のＪＯＧオーデイオ再生処理動作を示すタイミングチヤートである。
【図１１】従来の圧縮符号化データを記録したＶＴＲにおけるＪＯＧオーデイオ再生処理手順を示すブロツク図である。
【図１２】図１１のＪＯＧオーデイオ再生処理動作を示すタイミングチヤートである。
【図１３】図１１のＪＯＧオーデイオ再生処理動作を示すタイミングチヤートである。
【符号の説明】
１、１０、２０、３０……ＶＴＲ、２……テープ、３……ドラム、４……ＥＣＣ（符号訂正処理）、５、８……メモリ、６……クロツクコンバート処理、７……ＪＯＧ処理、９……データ出力、１１……サブバンド復号化処理、２１……データデイレイ処理、３１……メモリ、３２……データセレクタ。
【図１】
0003674714.tif 000002
【図３】
0003674714.tif 000003
【図２】
0003674714.tif 000004
【図４】
0003674714.tif 000005
【図５】
0003674714.tif 000006
【図８】
0003674714.tif 000007
【図６】
0003674714.tif 000008
【図７】
0003674714.tif 000009
【図９】
0003674714.tif 000010
【図１１】
0003674714.tif 000011
【図１０】
0003674714.tif 000012
【図１２】
0003674714.tif 000013
【図１３】
0003674714.tif 000014